【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
透水性のある織物で作られた草本物質および植物性物質用の包みであって、開口部の上側部分の頂部から伸長する縁部を有する折り畳まれ締め付けられる開口部の上側部分の周囲を堅く縛ることにより開口部を密封する手段を具え、前記包みを充填し密封するのに有用な補助部品が必要に応じて取り付けられる包みが、
プラスチック樹脂製のストランドにより、前記包みの外側ではなく内側に配置される、前記伸長する端部を有する折り畳まれ締め付けられ堅く縛られる開口部の上側部分を具え、
前記プラスチック樹脂製のストランドは、前記織物に縫い付けられ、互いが一定の間隔で、且つ前記開口部の縁部から所定の距離に配置された４つのスポットの対向側で前記ストランドが再び非常に近接し、前記ストランドの大部分が前記包みの内側に設けられ、３つのスポットでは一部が外側に設けられ、４つ目のスポットの両側では互いが非常に近接し、前記ストランドの端部が、互いに連結すべく前記織物を貫通して外側に設けられ、これにより、輪の強度を利用して前記包みを充填でき、前記開口部の上側部分を内側に折り畳むことができ、前記輪の大きさをできる限り小さくすることにより前記開口部を密封でき、
前記包みは、前記開口部の反対側に２つの丸いコーナーを具え、
前記包みは、布片の輪郭が前記包みの開口部の縁部になり、布片の上側部分が前記包みの内側に配置され、布片の下側部分が前記包みの外側になるように縫い付けられたストランドを具える透水性のある丸い布片であり、
前記ケーブルタイが、前記包みが開いた状態で、且つ充填および密封することができる状態で部分的にきつく引っ張られ、
前記包みが密封され、植物性物質または草本の混合物で充填されることを特徴とする包み。
【請求項２】
請求項１に記載の包みの前記開口部を密封する手段において、当該手段は、Ｋの穴に真っ直ぐに配置される皿ねじを具えるビーズ形状をしたＫを有する一片の糸であり、
前記手段は、中空の棒付キャンディーの棒状のビーズ形状を組み合わせることができ、あるいは前記ビーズ形状をしたＫあるいは前記ビーズ形状をしたＫの一部が、中空の棒付キャンディーの棒状の形状内に伸長および延在でき、
ＫあるいはＫの一部は２つの部品で構成でき、一方の部品が凸部を具え、他方の部品が溝を具えており、これらの部品は、皿ねじを利用して互いに連結してもよく、
前記２つの部品は互いに蝶着し、鉗子により互いに連結してもよく、
前記溝の底部および前記凸部の頂部は、凹凸構造を設けてもよく、
小さな矩形をＫの内側に斜めに配列して、ケーブルタイのようなプラスチック樹脂製のストランドが移動するのを阻止してもよく、
前記糸は、前記ケーブルタイのストランドのような、リブと一方の端部に肉厚部とを具える独立した部品である個別のプラスチック樹脂製のストランドと置き換えてもよく、
前記ストランドの一方の端部の肉厚部は、Ｋの穴の開口部に静止して、使用時にＫおよび前記ストランドを１つの部品として機能させてもよく、
一方の端部に肉厚部を有する前記プラスチック樹脂製のストランドは、棒付キャンディーの棒のように使用してもよく、
前記包みを密封する手段は、前記包みを通される一片の糸でもよく、両端部が、中空の棒付キャンディーの棒状のビーズと、当該中空の棒付キャンディーの棒状のビーズの他方の端部の開口部よりも大きい他のビーズであって前記糸の両端部を反対の方向に通すのに十分な穴を有する他のビーズとの共通の開口部を通り、靴ひものように締められ結ばれ、
前記糸の中間部分は、ケーブルタイの一片のストランドのような一片のプラスチック樹脂と一体化させて強度を与えてもよく、
前記糸の中間部分と一体化される前記一片のプラスチック樹脂は、薄くで硬質であるが、可撓性のあるプラスチック樹脂製のチューブでもよいことを特徴とする手段。
【請求項３】
請求項１に記載の包みの前記開口部を密封する手段において、当該手段は、再利用可能なケーブルタイであり、これは、前記ストランド上のリブを阻止するように斜めに配列された小さな矩形のケーシングが、前記斜めに配列された小さな矩形を前記ストランドに押し付けることができ、あるいは前記小さな矩形を前記ストランドから解放できる２つの部品から作られており、これらの２つの部品は、皿ねじあるいは鉗子を用いて互いに連結でき、
皿ねじは、前記斜めに配列された小さな矩形の一の面を前記ストランドに押し付け、あるいは前記小さな矩形の一の面を前記ストランドから解除するのに利用してもよく、
前記ストランドは、一方の端部に肉厚部を有する個別の部品であって、前記斜めに配列された小さな矩形のケーシングの追加の穴の開口部に静止する部品とすることができ、使用時に前記ケーシングおよび前記ストランドが一つの部品として機能し、
前記一方の端部に肉厚部を有するストランドは、棒付キャンディの棒のように利用してもよく、
前記ケーシングあるいは前記ケーシングの一部が、中空の棒付キャンディの棒状のチューブ内に伸長および延在し、前記ストランドの輪が一方の端部に、前記ストランドの前記リブを阻止する手段が他方の端部にあることを特徴とする手段。
【請求項４】
請求項１に記載の開口部を密封する手段を具える包みにおいて、当該包みは、同一中心で交差する２本の直線と組み合わされる同一中心を有する多数の縮小する円で構成される模様を一方の面に有する透水性のある織物を、消費者自身が所望の大きさにカットして作ることができ、
大きな一片の織物が、多数の包みを作るために、多くのこれらの模様を具えており、
前記包みを作成するための前記丸い布片が事前にカットされ、
前記ケーブルタイのストランドの端部が包みを貫通して取り付けられるのと同じ順序で、前記包みの同じ位置を貫通して取り付けられるピンの周囲に取り付けられたこれらの一群の包みは、一の包みを前記ピンから取り外すのを容易にし、一の動作で前記ストランドの端部を前記包みの総ての穴に通すのを容易にし、
チューイングバッグと、当該チューイングバッグの密封方法および使用方法を説明する本出願の説明の記載のような教示、マニュアル、あるいはテキストが組み合わされることを特徴とする包み。
【請求項５】
請求項１に記載の包みの開口部を密封する手段と、包みを充填あるいは密封するのに有用な補助部品とを具える包みにおいて、前記包みを密封する手段は、互いが一定の間隔で包みの開口部に配置された４つのフックを有する金属製のワイヤを湾曲したフレームである有用な補助部品が取り付けられる一片の糸であり、前記包みは、前記フックの周りに前記糸が配置された状態で、前記フレームの開口部に配置され、前記フックから開口部の縁部が外れる前、且つ開口部を密封する前に、前記包みを充填し、且つ前記開口部の縁部を内側に折り畳むのに必要な形状および強度を有する前記包みの開口部を提供することができ、このフレームは、垂直に連結される４つの小さな矩形のような互いが一定の間隔で開口部に設けられた４つのフックを有する円筒形状でもよく、フックの一部が、前記円筒形状の開口部の内側に配置され、その他の部分が前記開口部から突出しており、
前記４つの矩形は、天守閣頂部の銃眼付きの胸壁のように円筒形状の頂部に配置してもよいことを特徴とする包み。
【請求項６】
請求項１に記載の開口部を密封する手段を有する包みにおいて、前記包みの開口部の縁部が内側に折り畳まれ、前記包みの他の部分に縫い付けられて、前記折り畳まれた縁部の下にトンネル状の空間を形成し、前記包みの開口部を密封する手段が、前記トンネル状の空間内を通って両端部が前記織物から突出して互いに近接し、前記開口部を密封する手段は、前記包みを容易に充填できる十分な強度を前記開口部に提供する輪を有するプラスチック樹脂製のケーブルタイであり、あるいは、前記バッグの充填を容易にする小さな漏斗が組み合わされた一片の糸であることを特徴とする包み。
【請求項７】
請求項１に記載の開口部を密封する手段を有する包みにおいて、当該包みは、チューイングバッグで摂取するために特別に選ばれた草本物質および植物性物質あるいは無機物質の混合物を含む別個に販売可能なパッケージが組み合わされ、
前記混合物は、味、
健康への影響、
感覚への影響、
気分への影響、
幻覚効果、あるいは
溶解特性を考慮して生成され、
あるいは前記混合物が、これらの成分および特性の組み合わせを含むことを特徴とする包み。
【請求項８】
請求項１または４乃至７のいずれか１項に記載の草本物質用の包みを作成、充填および密封する過程で使用される作業方法であって、前記開口部が密封される前に、前記開口部の緩んだ上側部分を内側に折り畳み、あるいは前記包みの開口部の縁部を形成する布の外形を前記包みの内側に折り畳むステップを具え、前記伸長する端部を有する折り畳まれ締め付けられ堅く縛られる開口部の上側部分が、前記包みの外側ではなく内側に配置されることを特徴とする方法。
【請求項９】
請求項１に記載の包みの開口部を密封する手段において、当該手段が、互いに直線上に整列された小さなプラスチック樹脂製の等辺三角形の列により形成される可撓性のあるプラスチック樹脂製のストランドであり、これらの三角形は、三つの角点のうちの一つが他の三角形の三辺のうちの一辺の中央部に接続され、この列の一方の端部で、且つこの列の直線上で、長さが前記三角形の一辺と同じであり高さ／厚みが前記三角形と同じである長方形の開口部が、前記三角形を穴に一方向にはめ込み、前記列が通常の位置に戻ろうとすると三角形を阻止できることを特徴とする手段。
【請求項１０】
請求項５に記載の包みを充填あるいは密閉するのに有用な補助部品において、当該補助部品が、請求項５に記載の部品であることを特徴とする部品。
【請求項１１】
請求項７に記載のチューイングバッグで摂取するために特別に選ばれた草本物質および植物性物質あるいは無機物質の混合物を含むパッケージにおいて、当該パッケージおよびその内容物が、請求項７に記載されているパッケージおよび内容物であることを特徴とするパッケージ。